(57)【特許請求の範囲】
【請求項１】
展示物を所定の高さ位置に展示するための基台部を備え、当該基台部の上部に設けられ展示物を展示するための展示面を複数の展示部に分割した展示台において、前記複数に分割された展示部の間に隙間を設けるとともに、当該隙間を構成する展示部の側方に展示面と平行な面もしくは展示面と直角な面よりも所定角度傾斜した面を有する隙間底部を設けたことを特徴とする展示台。
【請求項２】
前記隙間底部を、前記展示部の側面に取り付けて構成したことを特徴とする請求項１に記載の展示台。
【請求項３】
前記隙間底部が、前記展示部の側面を一定角度傾斜させて形成した隙間底部であることを特徴とする請求項１に記載の展示台。
【請求項４】
前記隙間底部が、前記展示部の側面をクランク状に構成して平面部分を設けた隙間底部であることを特徴とする請求項１に記載の展示台。
【請求項５】
前記隙間底部を前記展示部の側面に設けるとともに、当該隙間底部に対向する展示部の側面を展示面の下方に向かって前記隙間底部から拡がるように切り欠いた切欠部を設けたことを特徴とする請求項１から４の何れかに記載の展示台。
【請求項６】
展示物を所定の高さ位置に展示するための基台部を備え、当該基台部の上部に設けられ展示物を展示するための展示面を複数の展示部に分割した展示台において、前記展示面を相対的に昇降させる展示部に分割してその間に隙間を設けるとともに、昇降時に下方に位置する展示部の側面下部に前記隙間底部を設けたことを特徴とする請求項１から５の何れかに記載の展示台。
【発明の詳細な説明】
【０００１】
【発明の属する技術分野】
本発明は、主に美術館や博物館などにおいて展示物を好適に展示するために使用される展示台に関するものである。
【０００２】
【従来の技術】
通常、美術館や博物館において美術工芸品などを展示する場合、その展示物を展示ケースの中に入れて出展することが多い。このような場合、展示台の中央部分にその美術工芸品を載せて周囲をガラスケースで囲むとともに、このガラスケース内に設けられた照明装置や展示室の天井部分に設けられた照明装置などを用いて展示物にライトを照射するようにしている。
【０００３】
【発明が解決しようとする課題】
ところが、このような展示ケースにあっては、そのガラスケースを持ち上げて展示空間を開放できるように、展示部の四隅部分を略正方形状に分割し、これにガラスケースを取り付けてこの展示部ごと持ち上げるようにしており、また、このように分割された展示部を昇降させる際に、その展示部の端部と他の展示部の端部との衝突を防止するために一定の隙間をあけて目地を構成している。更に、この目地に対応して、その分割された展示部の延長方向にも、この目地に対応した隙間を設け、展示面のデザイン性を向上させるとともに、この延長方向上の展示部も取り外すことができるようにしている。
【０００４】
しかし、このような展示台では、その隙間幅を大きく設定して展示部を昇降時の衝突を防止するようにすると、展示部の上方から照射された光がその目地の奥方に吸収されることとなり、その目地部分が黒い線となって浮き出てしまうという課題を有していた。
【０００５】
【課題を解決するための手段】
そこで、本発明は、上記のような問題に鑑みてなされたものであり、分割された展示部の隙間奥方で光を反射させるように構成することによって、その隙間部分を目立たせないように構成することとしている。
【０００６】
【発明の実施の形態】
すなわち、本発明の展示台は、展示物を所定の高さ位置に展示するための基台部を備え、当該基台部の上部に設けられ展示物を展示するための展示面を複数の展示部に分割した展示台において、前記複数に分割された展示部の間に隙間を設けるとともに、当該隙間を構成する展示部の側方に展示面と平行な面もしくは展示面と直角な面よりも所定角度傾斜した面を有する隙間底部を設けたことを特徴とする。
【０００７】
このような構成のうち、例えば、展示物を載せるための展示部とその周辺に設けられた展示部とに展示面を分割してその間に隙間を設け、この隙間部分に入射した光を再び上方に反射するようにした隙間底部を設けるようにすれば、その目地の暗さを解消させることができる。
【０００８】
ところで、このように光を上方に反射させる方法としては、例えば、隙間を構成する展示部の側面に隙間底部を別途取り付ける方法や、展示部の側面を一定角度傾斜させる方法、その他にも展示部の側面をクランク状に構成する方法などがある。これらの方法のいずれを採用するかは、適宜選択されるものであるが、隙間底部を別途取り付ける方法を採用する場合は、展示部の側面に対して複雑な加工を施す必要がないため、容易にその隙間底部を取り替えることができるばかりでなく、容易にその隙間の幅に対応させることができるというメリットを有する。また、展示部の側面を一定角度傾斜させる方法を採用する場合は、部品点数を増やすことなく同様の効果を奏することができ、更に、展示部の側面をクランク状（例えば、階段状もしくはＳ字状など）にする構成を採用すれば、観察方向に依存せずに隙間奥方を見えないようにすることができる。
【０００９】
また、隙間底部を展示部の一方の側面に設ける場合、この隙間底部に対向する展示部の側面を展示面の下方に向かって拡がるように切り欠くように構成すれば、この展示部を着脱時に隙間底部の端部が対向する展示部に衝突することがなくなり、展示部を容易に着脱させることができる。
【００１０】
特に、展示面を相対的に昇降される複数の展示部に分割してその間に隙間を設けるような展示台においては、昇降時に下方に位置する展示部の側面下部に前記隙間底部を設ければ、展示部の昇降時にこの隙間底部が邪魔にならず、容易に展示部を昇降させることができる。
【００１１】
【実施例】
図１は本発明の一実施例を示す展示台１の斜視図であり、図２はそのＡ−Ａ端面を示した図である。また、図３は展示部３の分解斜視図を示したものであり、図４および図５は図２に対応した第二および第三の実施例を示したものである。なお、図において、同一の符号は同一の構成を示したものであり、第二の実施例および第三の実施例においても、同一の符号は第一の実施例と同一の構成を示したものである。
【００１２】
以下、本発明の一実施例を、図面を参照して説明する。
【００１３】
この実施例の展示台１は、美術館や博物館等で展示物Ｔを展示する際に使用されるもので、図１に示すように、博物館などの床面上に設置される基台部２と、基台部２の上部に設けた展示部３と、この展示部３上に設けられた展示物Ｔを囲むためのケース本体４とからなるものである。
【００１４】
基台部２は、主としてその上部に設けられる展示部３を支持するための枠部材５とを設け、この基台部２を覆う側板５０と底板５１および展示部３とによって中空状の箱体を構成したのもので、基台部２の下端部にもアジャスタや必要に応じてキャスタ等の接地部材を取り付けることができるようにしたものである。
【００１５】
この側板５０などで囲まれた箱体の内部には、展示物Ｔを下方から照射するために設けられた光源６や、ガラスで構成されたケース本体４を昇降させるために設けた図示しない昇降モータや、ケース本体４の内部空間の湿度や空気などの調整を行う空調装置を適宜配置できるようにしている。これらの光源６や昇降モータ、空調装置などは、側板５０の一部を構成する扉体７の内部に設けられた操作盤７０によって制御できるようにしたものであり、この操作盤７０を上方から操作できるように、扉体７の下端にヒンジを取り付けるようにしている。
【００１６】
また、この側板５０の上部には、その詳細を図２に示すように、その端部を折り曲げて側板上面５２を構成し、この上にゴム部材４２を取り付けて、ガラス４１および上部照明器４ａで構成されたケース本体４を密閉できるようにしている。なお、この上部照明器４ａは、ガラス４１で囲まれたケース本体４の上面に設けられるものであり、発熱量の少ない蛍光灯などを用いて上部から均一に展示面を照射する他、スポット的に展示物Ｔを照射するものである。
【００１７】
また、この枠部材５に載せられる展示部３は、図３に示すように展示物Ｔを中央に載せるための中央展示部３１と、この中央展示部３１のコーナ部分に設けられた昇降展示部３２と、この中央展示部３１の各端辺に設けられた化粧展示部３３によって水平な展示面３０を構成するとともに、これらの展示部の間に一定の隙間、すなわち目地を設けることによってそれぞれの展示部を分離できるようにしている。
【００１８】
この展示部３のうち、中央展示部３１はその展示面３０上の展示物Ｔを見やすくするために、ケース本体４の中央部分に設けられるようにしたものであり、また、展示物Ｔを安定して置くことができるように、その中央展示部３１を枠部材５にネジなどで固定して設けるようにしたものである。また、この中央展示部３１の垂直断面は、略長方形状となっており、図３に示すように、この垂直断面を有する側面および角部に隙間底部３１ａを取り付けることができるようにしている。なお、この隙間底部３１ａは、観察者からこの隙間底部３１ａの上面３１０ａを目視することができるように隙間の幅寸法に対応して光の届く深さに取り付けるとともに、その取り付けを容易にするために、中央展示部３１を置いた状態でその下端と隙間底部３１ａの下端とを一致するように取り付けている。更に、この隙間底部３１ａの上面３１０ａについても、光を良好に反射することができるように水平面を設けるとともに、その部分を展示面３０と同一の色に設定することによって隙間部分のみを目立たせないようにしている。
【００１９】
また、中央展示部３１の端辺部分に設けられた化粧展示部３３は、この化粧展示部３３を取り付けた際に中央展示部３１と同一水平面を構成するように設定したものであり、中央展示部３１と同様に枠部材５上に設けるようにしたものである。この化粧展示部３３は、枠部材５に化粧展示部３３の裏面からネジなどで固定してもよいが、本実施例では、適宜この化粧展示部３３を取り外すことができるように可動式の展示部としている。また、この化粧展示部３３も中央展示部３１と同様に、長手方向については、その断面形状を長方形状とするとともにその両側面に隙間底部３３ａを設ける一方、短手方向のガラス４１側に関しては、ガラス面に対応させて垂直な側面を構成するようにしている。また、短手方向の他方の側面に関しては、その上部を中央展示部３１の側面上部と平行な面を構成するように垂直に構成するとともに、その下部については、図２に示すように中央展示部３１に設けられ隙間底部３３ａの上端を起点として展示面３０の下方に向けて拡げた切欠部３３ｂを設けるようにしている。更に、この切欠部３３ｂに対応して、長手方向の端部側面に設けられた隙間底部３３ａの下端についても、この切欠部３３ｂと同様に隙間底部３３ａを切り欠くようにしている。このように構成することによって、この化粧展示部３３を着脱する際に、化粧展示部の側面と中央展示部３１に設けられた隙間底部との衝突を防止できるようになる。また、この隙間底部３３ａの上面３３０ａは、中央展示部３１に設けられた隙間底部３１ａと同様に展示面３０の色と同一色に設定することによって隙間部分のみを目立たないようにしている。
【００２０】
また、この中央展示部３１のコーナに設けられた昇降展示部３２は、基台部２の内部に設けられた昇降モータと４本のシャフト３２Ｐを用いてケース本体４とともに昇降できるように構成したもので、中央展示部３１と化粧展示部３３を枠部材５上に取り付けた状態で、ガラス４１を保持するための保持部４０とともにガラス４１を持ち上げて展示空間を開放し、展示物Ｔを展示できるようにしたものである。この保持部４０は、ガラス４１の端部を下から支えることができるように金属板をＬ字状に折り曲げて構成したものであり、その起立面の高さ位置を化粧展示部３３や昇降展示部３２などと略同一に設定することによって、展示部３の側面の隙間部分を隠すようにしている。また、この保持部４０のガラス接触面にもシリコン製の接着剤４３を着けてケース本体４の気密性を保つようにしている。更に、この昇降展示部３２の化粧展示部３３側に隣接する二つの側面についても、化粧展示部３３と同様に、その上部を化粧展示部３３の側面上部と平行な面を構成するように垂直面を設けるとともに、その下部についても、化粧展示部３３の側面下方に設けられ隙間底部３３ａの上端から展示面３０の下方に向けて拡げた切欠部３２ｂを設けている。これによって中央展示部３１や化粧展示部３３などを取り付けた状態でこの昇降展示部３２を昇降させても、隣接する展示部と衝突することがなくなる。
【００２１】
以上説明したように、本実施例では、展示物Ｔを所定の高さ位置に展示するための基台部２を備え、当該基台部２の上部に設けられ展示物Ｔを展示するための展示面３０を複数の展示部３１、３２、３３に分割した展示台１において、この複数に分割された展示部の間に隙間を設けるとともに、この隙間を構成する展示部の側方に展示面３０と平行な面を備えた隙間底部３１ａ、３３ａを設けたので、この水平面で光を反射させることができ、隙間部分の暗さを解消させることができる。
【００２２】
また、この実施例では、中央展示部３１や化粧展示部３３の側面に隙間底部３１ａ、３３ａを取り付けて構成したので、中央展示部３１や化粧展示部３３の側面に対して複雑な加工を施す必要がなく、また、隙間の幅に対応して容易に隙間底部３１ａ、３３ａを交換することができる。
【００２３】
そして、この場合、隙間底部３１ａを中央展示部３１の側面に設けるとともに、この隙間底部３１ａに対向する化粧展示部３３の側面と昇降展示部３２の角部を展示面３０の下方に向かって拡げるように切り欠いた切欠部３３ｂを設けたので、この化粧展示部３３や昇降展示部３２を着脱・昇降する際に、これらの展示部が中央展示部３１の隙間底部３１ａに衝突させることがなくなる。
【００２４】
特に、本実施例のように、展示面３０を固定式の展示部である中央展示部３１と可動式の展示部である化粧展示部３３および昇降展示部３２とに分割したような展示台１において、その分割された固定式の展示部と可動式の展示部との間に隙間を設け、この固定式の展示部の側方下部に隙間底部３１ａを設けるようにしたので、固定式の展示部の側面上方が規制されず、化粧展示部３３や昇降展示部３２を容易に上方に着脱・昇降させることができる。
【００２５】
なお、本実施例では、隙間底部を別途取り付ける構成について説明したが、これに限らず、図４に示すようにに化粧展示部と中央展示部との側面を切削加工などによって同一方向に傾斜させ、この傾斜方向と異なる方向から見た場合にこの隙間の奥方を見えないように隙間底部３５を構成してもよい。また、このように構成した場合は、傾斜方向から観察した場合に目地の奥方が見えてしまうため、図５に示すように展示部の側面を切削加工などによってクランク状に構成し、いずれの方向から見た場合であっても隙間の奥方が見えないように隙間底部３６を構成することもできる。また、本実施例では化粧展示部３３や昇降展示部３２を中央展示部３１に対して昇降させるようにしたが、これに限らず、中央展示部３１を展示面３０の下方に相対的に移動させるようにしても良い。
【００２６】
【発明の効果】
本発明は、以上のような形態で実施され、以下に記載されるような効果を奏する。
【００２７】
すなわち、本発明の展示台は、展示物を所定の高さ位置に展示するための基台部を備え、当該基台部の上部に設けられ展示物を展示するための展示面を複数の展示部に分割した展示台において、前記複数に分割された展示部の間に隙間を設けるとともに、当該隙間を構成する展示部の側方に展示面と平行な面もしくは展示面と直角な面よりも所定角度傾斜した面を有する隙間底部を設けたので、この面によって上方から入射した光を反射させることができ、隙間部分の暗さを解消することができる。
【００２８】
また、このような構成において隙間底部を、前記展示部の側面に取り付けて構成したので、展示部の側面に対して複雑な加工を施す必要がなく、また隙間の幅などに対応して、容易にその隙間底部を取り替えることができる。
【００２９】
また、展示部の側面を一定角度傾斜させて隙間底部を構成した場合は、この傾斜部分で上方からの光を反射させることができ、部品点数を少なくした状態で、隙間部分の暗さを解消させることができる。
【００３０】
更に、展示部の側面をクランク状に構成して隙間底部を構成した場合は、観察方向によらずにこの隙間の奥底を隠すことができる。
【００３１】
なお、隙間底部を展示部の側面に設けるとともに、この隙間底部に対向する展示部の側面を展示面の下方に向かって拡がるように切り欠いた切欠部を設けたので、展示部を着脱する際に、展示部の端部が互いに衝突するのを防止できる。
【００３２】
特に、展示面を相対的に昇降させる展示部に分割したような展示台においては、昇降時に下方に位置する展示部の側面下部に隙間底部を設けるようにすれば、容易に展示部を昇降させることができる。
【図面の簡単な説明】
【図１】本発明の一実施例を示す展示台の斜視図。
【図２】図１におけるＡ−Ａの端面図。
【図３】展示部の分解斜視図。
【図４】図２に対応する第二の実施例。
【図５】図２に対応する第三の実施例。
【符号の説明】
１・・・展示台
３・・・展示部
３０・・・展示面
３１・・・中央展示部
３１ａ、３３ａ、３５、３６・・・隙間底部
３２ｂ、３３ｂ・・・切欠部
３２・・・昇降展示部
３３・・・化粧展示部
【図１】
0003840549.tif 000002
【図２】
0003840549.tif 000003
【図３】
0003840549.tif 000004
【図４】
0003840549.tif 000005
【図５】
0003840549.tif 000006